(57)【要約】【課題】  同じヌメロロジを使用して、ブロードキャスト又はマルチキャストサービスを送受信する。【解決手段】  ＵＥの観点からの方法及び装置が開示される。一実施形態では、方法は、ブロードキャスト又はマルチキャストサービスの識別情報を含む第１のシグナリングを受信するステップを含む。方法は、ブロードキャスト又はマルチキャストサービスの情報とあるヌメロロジとの間の関連を示す第２のシグナリングを受信するステップをさらに含む。方法は、ヌメロロジを使用して、ブロードキャスト又はマルチキャストサービスを受信するステップも含む。【選択図】  図２５
2020048232.tif 000002
【特許請求の範囲】
【請求項１】
ＵＥ（ユーザ機器）の方法であって、
ブロードキャスト又はマルチキャストサービスの識別情報を含む第１のシグナリングを受信するステップと、
前記ブロードキャスト又はマルチキャストサービスの情報とヌメロロジとの間の関連を示す第２のシグナリングを受信するステップであって、該ヌメロロジはフレーム構造又はサブフレーム構造を定義するために使用されるサブキャリア間隔を示す、受信するステップと、
前記ヌメロロジを使用して、前記ブロードキャスト又はマルチキャストサービスを受信するステップと、を含む方法。
【請求項２】
前記第１のシグナリングは、ユーザサービス記述である、請求項１に記載の方法。
【請求項３】
前記第１のシグナリングは、前記第２のシグナリングと同じである、請求項１に記載の方法。
【請求項４】
前記情報は、前記ブロードキャスト又はマルチキャストサービスに関連するＱｏＳ（Quality  of  Service）の識別情報、あるいは前記ブロードキャスト又はマルチキャストサービスに関連するグループ識別情報である、請求項１に記載の方法。
【請求項５】
前記情報は、前記ブロードキャスト又はマルチキャストサービスに関連する帯域幅部分、あるいは前記ブロードキャスト又はマルチキャストサービスの識別情報である、請求項１に記載の方法。
【請求項６】
前記情報は、前記ブロードキャスト又はマルチキャストサービスに関連するＭＣＨ（Multicast  Channel)、前記ブロードキャスト又はマルチキャストサービスに関連するＭＢＳＦＮ（Multicast  Broadcast  Single  Frequency  Network）領域、あるいは前記ブロードキャスト又はマルチキャストサービスに関連するＭＢＭＳ（Multimedia  Broadcast  Multicast  Service）サービスエリアである、請求項１に記載の方法。
【請求項７】
前記第２のシグナリングは、ブロードキャスト又はマルチキャストのためのシステム情報である、あるいはマルチキャスト制御チャネルを介して受信される、請求項１に記載の方法。
【請求項８】
ＵＥ（ユーザ機器）であって、
制御回路と、
前記制御回路に設けられたプロセッサと、
前記制御回路に設けられ、前記プロセッサに動作可能に結合されたメモリと、を含み、
前記プロセッサは、前記メモリに記憶されたプログラムコードを実行して、
ブロードキャスト又はマルチキャストサービスの識別情報を含む第１のシグナリングを受信することと、
前記ブロードキャスト又はマルチキャストサービスの情報とヌメロロジの間の関連を示す第２のシグナリングを受信することであって、該ヌメロロジはフレーム構造又はサブフレーム構造を定義するために使用されるサブキャリア間隔である、受信することと、
前記ヌメロロジを使用して、前記ブロードキャスト又はマルチキャストサービスを受信することと、をするように構成された、ＵＥ。
【請求項９】
前記第１のシグナリングは、ユーザサービス記述である、請求項８に記載のＵＥ。
【請求項１０】
前記第１のシグナリングは、前記第２のシグナリングと同じである、請求項８に記載のＵＥ。
【請求項１１】
前記情報は、前記ブロードキャスト又はマルチキャストサービスに関連するＱｏＳ（Quality  of  Service）の識別情報、あるいは前記ブロードキャスト又はマルチキャストサービスに関連するグループ識別情報である、請求項８に記載のＵＥ。
【請求項１２】
前記情報は、前記ブロードキャスト又はマルチキャストサービスに関連する帯域幅部分、あるいは前記ブロードキャスト又はマルチキャストサービスの識別情報である、請求項８に記載のＵＥ。
【請求項１３】
前記情報は、前記ブロードキャスト又はマルチキャストサービスに関連するＭＣＨ（Multicast  Channel)、前記ブロードキャスト又はマルチキャストサービスに関連するＭＢＳＦＮ（Multicast  Broadcast  Single  Frequency  Network）領域、あるいは前記ブロードキャスト又はマルチキャストサービスに関連するＭＢＭＳ（Multimedia  Broadcast  Multicast  Service）サービスエリアである、請求項８に記載のＵＥ。
【請求項１４】
前記第２のシグナリングは、ブロードキャスト又はマルチキャストのためのシステム情報である、あるいはマルチキャスト制御チャネルを介して受信される、請求項８に記載のＵＥ。
【請求項１５】
基地局の方法であって、
ブロードキャスト又はマルチキャストサービスの識別情報を含む第１のシグナリングを送信するステップと、
前記ブロードキャスト又はマルチキャストサービスの情報とヌメロロジとの間の関連を示す第２のシグナリングを送信するステップであって、該ヌメロロジはフレーム構造又はサブフレーム構造を定義するために使用されるサブキャリア間隔である、送信するステップと、
前記ヌメロロジを使用して、前記ブロードキャスト又はマルチキャストサービスを送信するステップと、を含む方法。
【請求項１６】
前記第１のシグナリングは、ユーザサービス記述である、請求項１５に記載の方法。
【請求項１７】
前記第１のシグナリングは、前記第２のシグナリングと同じである、請求項１５に記載の方法。
【請求項１８】
前記情報は、前記ブロードキャスト又はマルチキャストサービスに関連するＱｏＳ（Quality  of  Service）の識別情報、前記ブロードキャスト又はマルチキャストサービスに関連するグループ識別情報、前記ブロードキャスト又はマルチキャストサービスに関連する帯域幅部分、あるいは前記ブロードキャスト又はマルチキャストサービスの識別情報である、請求項１５に記載の方法。
【請求項１９】
前記情報は、前記ブロードキャスト又はマルチキャストサービスに関連するＭＣＨ（Multicast  Channel)、前記ブロードキャスト又はマルチキャストサービスに関連するＭＢＳＦＮ（Multicast  Broadcast  Single  Frequency  Network）領域、あるいは前記ブロードキャスト又はマルチキャストサービスに関連するＭＢＭＳ（Multimedia  Broadcast  Multicast  Service）サービスエリアである、請求項１５に記載の方法。
【請求項２０】
前記第２のシグナリングは、ブロードキャスト又はマルチキャストのためのシステム情報である、あるいはマルチキャスト制御チャネルを介して送信される、請求項１５に記載の方法。
【発明の詳細な説明】
【技術分野】
【０００１】
本願は、２０１７年１月５日に出願された米国仮特許出願第６２／４４２，６２５号の利益を主張するものであり、そのすべての開示は全体として参照により本明細書に援用される。
【０００２】
本開示は、概して、無線通信ネットワークに関し、より詳細には、無線通信システムにおいてヌメロロジを決定するための方法及び装置に関する。
【背景技術】
【０００３】
移動体通信デバイスとの大量データの通信に対する要求が急速に高まる中、従来の移動体音声通信ネットワークは、インターネットプロトコル（ＩＰ）データパケットをやり取りするネットワークへと発展している。このようなＩＰデータパケット通信は、移動体通信デバイスのユーザに、ボイスオーバＩＰ、マルチメディア、マルチキャスト、及びオンデマンド通信サービスを提供可能である。
【０００４】
例示的なネットワーク構造は、発展型ユニバーサル地上無線アクセスネットワーク（Ｅ−ＵＴＲＡＮ）である。Ｅ−ＵＴＲＡＮシステムは、上記のボイスオーバＩＰ及びマルチメディアサービスを実現するために、高いデータスループットを提供可能である。現在、次世代（例えば、５Ｇ）の新しい無線技術が３ＧＰＰ標準化機構によって論じられている。このため、現行の３ＧＰＰ標準内容に対する変更が現在提出され、３ＧＰＰ標準の発展及び確定に向けて検討されている。
【発明の概要】
【０００５】
ＵＥ（ユーザ機器）の観点からの方法及び装置が開示される。一実施形態では、方法は、ブロードキャスト又はマルチキャストサービスの識別情報(identity)を含む第１のシグナリングを受信するステップを含む。方法は、ブロードキャスト又はマルチキャストサービスの情報、とあるヌメロロジ（numerology）との間の関連を示す第２のシグナリングを受信するステップをさらに含む。方法は、ヌメロロジを使用して、ブロードキャスト又はマルチキャストサービスを受信するステップも含む。
【図面の簡単な説明】
【０００６】
【図１】例示的な一実施形態による無線通信システムの図を示す。
【図２】例示的な一実施形態による送信機システム（アクセスネットワークとしても知られている）及び受信機システム（ユーザ機器又はＵＥとしても知られている）のブロック図である。
【図３】例示的な一実施形態による通信デバイスの機能ブロック図である。
【図４】例示的な一実施形態による図３のプログラムコードの機能ブロック図である。
【図５】例示的な一実施形態による図である。
【図６】例示的な一実施形態による図である。
【図７】例示的な一実施形態による図である。
【図８】例示的な一実施形態による図である。
【図９】例示的な一実施形態による図である。
【図１０】例示的な一実施形態による図である。
【図１１】例示的な一実施形態による図である。
【図１２】例示的な一実施形態による図である。
【図１３】例示的な一実施形態によるフローチャートである。
【図１４】例示的な一実施形態によるフローチャートである。
【図１５】例示的な一実施形態によるフローチャートである。
【図１６】例示的な一実施形態によるフローチャートである。
【図１７】例示的な一実施形態によるフローチャートである。
【図１８】例示的な一実施形態によるフローチャートである。
【図１９】例示的な一実施形態によるフローチャートである。
【図２０】例示的な一実施形態によるフローチャートである。
【図２１】例示的な一実施形態によるフローチャートである。
【図２２】例示的な一実施形態によるフローチャートである。
【図２３】例示的な一実施形態によるフローチャートである。
【図２４】例示的な一実施形態によるフローチャートである。
【図２５】例示的な一実施形態によるフローチャートである。
【図２６】例示的な一実施形態によるフローチャートである。
【発明を実施するための形態】
【０００７】
以下に記載される例示的な無線通信システム及び機器は、無線通信システムを採用し、ブロードキャストサービスをサポートする。無線通信システムは、音声、データ等の様々なタイプの通信を提供するため、広く展開されている。これらのシステムは、符号分割多元接続（ＣＤＭＡ）、時間分割多元接続（ＴＤＭＡ）、直交周波数分割多元接続（ＯＦＤＭＡ）、３ＧＰＰ  ＬＴＥ（ロングタームエボリューション）無線アクセス、３ＧＰＰ  ＬＴＥ−Ａ若しくはＬＴＥ−アドバンスト（ロングタームエボリューションアドバンスト）、３ＧＰＰ２  ＵＭＢ（Ultra  Mobile  Broadband：超モバイル広帯域）、ＷｉＭａｘ、３ＧＰＰ  ＮＲ（新しい無線：New  Radio）又はその他何らかの変調技術に基づいてよい。
【０００８】
特に、以下に説明する例示的な無線通信システム及びデバイスは、本明細書において３ＧＰＰと称される「第３世代パートナーシッププロジェクト」という名称のコンソーシアムにより提供された標準等、１つ以上の標準をサポートするように設計されてよい。標準には、TS  36.331  v14.0.0,  “Evolved  Universal  Terrestrial  Radio  Access  (E-UTRA);  Radio  Resource  Control  (RRC);  Protocol  specification”、TS  36.300  v14.0.0,  “Evolved  Universal  Terrestrial  Radio  Access  (E-UTRA)  and  Evolved  Universal  Terrestrial  Radio  Access  Network  (E-UTRAN);  Overall  description;  Stage  2”、TR  22.864  v13.0.0,  “Feasibility  Study  on  New  Services  and  Markets  Technology  Enablers  -  Network  Operation;  Stage  1”、TR  22.891  v14.2.0,  “Feasibility  Study  on  New  Services  and  Markets  Technology  Enablers”、TS  22.261  v0.1.1,  “Service  requirements  for  next  generation  new  services  and  markets;  Stage  1”、TR  38.913  v14.0.0,  “Study  on  Scenarios  and  Requirements  for  Next  Generation  Access  Technologies”、TS  22.146  v13.0.0,  “Multimedia  Broadcast/Multicast  Service  (MBMS);  Stage  1”、TS  22.246  v13.0.0,  “Multimedia  Broadcast/Multicast  Service  (MBMS)  user  services;  Stage  1”、TS  23.246  v14.1.0,  “Multimedia  Broadcast/Multicast  Service  (MBMS);  Architecture  and  functional  description”、TS  26.346  v14.1.0,  “Multimedia  Broadcast/Multicast  Service  (MBMS);  Protocols  and  codecs”、TR  36.890  v13.0.0,  “Study  on  single-cell  point-to-multipoint  transmission  for  E-UTRA”、R2-168529,  Intel,  “System  information  acquisition  procedure”;  R2-167480,  OPPO,  “Discussion  on  Issues  of  Other  SIs”、R2-168738,  LG,  “Efficient  SI  request  for  other  SI”、TR  38.804  v0.4.0,  “Study  on  New  Radio  Access  Technology;  Radio  Interface  Protocol  Aspects”、及びTS  23.003  v14.2.0,  “Numbering,  addressing  and  identification”が含まれる。
【０００９】
さらに、以下で説明する例示的な無線通信システム及びデバイスは、様々な文書で論じられている無線技術のために設計されてよい。文書には、NGMN  5G  White  Paper  v1.0が含まれる。
【００１０】
上掲の標準及び文書は、全体として参照により本明細書に明示的に援用される。
【００１１】
図１は、本発明の一実施形態に係る多重アクセス無線通信システムを示している。アクセスネットワーク１００（ＡＮ）は、複数のアンテナグループを含み、あるグループは１０４及び１０６、別のグループは１０８及び１１０、また別のグループは１１２及び１１４を含む。図１においては、各アンテナグループに対して、アンテナが２つしか示されていないが、より多くの又はより少ないアンテナが各アンテナグループに利用されてよい。アクセス端末１１６（ＡＴ）は、アンテナ１１２及び１１４と通信しており、アンテナ１１２及び１１４は、順方向リンク１２０を介して情報をアクセス端末１１６に送信すると共に、逆方向リンク１１８を介して情報をアクセス端末１１６から受信している。アクセス端末（ＡＴ）１２２は、アンテナ１０６及び１０８と通信しており、アンテナ１０６及び１０８は、順方向リンク１２６を介して情報をアクセス端末（ＡＴ）１２２に送信すると共に、逆方向リンク１２４を介して情報をアクセス端末（ＡＴ）１２２から受信している。ＦＤＤシステムにおいては、通信リンク１１８、１２０、１２４、及び１２６は通信に異なる周波数を使用してよい。例えば、順方向リンク１２０では、逆方向リンク１１８によって使用される周波数とは異なる周波数を使用してよい。
【００１２】
アンテナの各グループ及び／又はアンテナが通信するように設計されたエリアは、アクセスネットワークのセクターと称することが多い。本実施形態では、アンテナグループはそれぞれ、アクセスネットワーク１００によってカバーされるエリアのセクターにおいて、アクセス端末と通信するように設計されている。
【００１３】
順方向リンク１２０及び１２６を介した通信において、アクセスネットワーク１００の送信アンテナは、異なるアクセス端末１１６及び１２２に対する順方向リンクの信号対雑音比を改善するために、ビームフォーミングを利用してよい。また、カバレッジにランダムに分散したアクセス端末への送信にビームフォーミングを使用するアクセスネットワークは、１つのアンテナからすべてのそのアクセス端末に送信を行うアクセスネットワークよりも、隣接セルのアクセス端末への干渉が少ない。
【００１４】
アクセスネットワーク（ＡＮ）は、端末と通信するのに使用される固定局又は基地局でよく、アクセスポイント、ノードＢ、基地局、拡張型基地局、進化型ノードＢ（ｅＮＢ）、又はその他何らかの専門用語で呼ばれることもある。アクセス端末（ＡＴ）は、ユーザ機器（ＵＥ）、無線通信デバイス、端末、アクセス端末、又はその他何らかの専門用語で呼ばれることもある。
【００１５】
図２は、ＭＩＭＯシステム２００における送信機システム２１０（アクセスネットワークとしても知られている）及び受信機システム２５０（アクセス端末（ＡＴ）又はユーザ機器（ＵＥ）としても知られている）の実施形態の簡易ブロック図である。送信機システム２１０では、多くのデータストリームのトラフィックデータがデータ源２１２から送信（ＴＸ）データプロセッサ２１４に提供される。
【００１６】
一実施形態において、各データストリームは、それぞれの送信アンテナを介して送信される。ＴＸデータプロセッサ２１４は、データストリームに対して選択された特定の符号化方式に基づいて、各データストリームについてのトラフィックデータをフォーマット、符号化、及びインターリーブして、符号化データを提供する。
【００１７】
各データストリームについての符号化データを、ＯＦＤＭ技術を使用してパイロットデータと多重化してよい。パイロットデータは、代表的には、既知の様態で処理される既知のデータパターンであり、受信機システムでチャネル応答を推定するのに使用されてよい。そして、各データストリームについての多重化パイロット及び符号化データは、データストリームに対して選択された特定の変調方式（例えば、ＢＰＳＫ、ＱＰＳＫ、Ｍ−ＰＳＫ、又はＭ−ＱＡＭ）に基づいて変調（すなわち、シンボルマッピング）されて、変調シンボルを提供する。各データストリームについてのデータレート、符号化、及び変調は、プロセッサ２３０により実行される命令によって決定されてよい。
【００１８】
そして、すべてのデータストリームについての変調シンボルはＴＸ  ＭＩＭＯプロセッサ２２０に与えられ、これが（例えば、ＯＦＤＭの場合に）変調シンボルをさらに処理してよい。そして、ＴＸ  ＭＩＭＯプロセッサ２２０は、ＮＴ個の変調シンボルストリームをＮＴ個の送信機（ＴＭＴＲ）２２２ａ〜２２２ｔに提供する。特定の実施形態において、ＴＸ  ＭＩＭＯプロセッサ２２０は、ビームフォーミング加重をデータストリームのシンボル及びシンボルが送信されているアンテナに適用する。
【００１９】
各送信機２２２は、各シンボルストリームを受信及び処理して１つ以上のアナログ信号を提供し、さらに、アナログ信号を調節（例えば、増幅、フィルタリング、及びアップコンバート）して、ＭＩＭＯチャネルを介した送信に適した変調信号を提供する。そして、送信機２２２ａ〜２２２ｔからのＮＴ個の変調信号がそれぞれ、ＮＴ個のアンテナ２２４ａ〜２２４ｔから送信される。
【００２０】
受信機システム２５０においては、送信された変調信号はＮＲ個のアンテナ２５２ａ〜２５２ｒによって受信され、各アンテナ２５２からの受信信号は、各受信機（ＲＣＶＲ）２５４ａ〜２５４ｒに提供される。各受信機２５４は、それぞれの受信信号を調節（例えば、フィルタリング、増幅、及びダウンコンバート）して、調節された信号をデジタル化してサンプルを与え、さらに、これらのサンプルを処理して対応する「受信」シンボルストリームを提供する。
【００２１】
そして、ＲＸデータプロセッサ２６０は、特定の受信機処理技術に基づいて、ＮＲ個の受信機２５４からのＮＲ個の受信シンボルストリームを受信及び処理して、ＮＴ個の「検出」シンボルストリームを提供する。そして、ＲＸデータプロセッサ２６０は、各検出シンボルストリームを復調、デインターリーブ、及び復号して、データストリームについてのトラフィックデータを復元する。ＲＸデータプロセッサ２６０による処理は、送信機システム２１０でのＴＸ  ＭＩＭＯプロセッサ２２０及びＴＸデータプロセッサ２１４により実行される処理と相補的である。
【００２２】
プロセッサ２７０は、どのプリコーディングマトリクス（後述）使用するかを定期的に決定する。プロセッサ２７０は、マトリクス指標部及びランク値部を含む逆方向リンクメッセージを構築する。
【００２３】
逆方向リンクメッセージは、通信リンク及び／又は受信データストリームに関する様々なタイプの情報を含んでよい。そして、逆方向リンクメッセージは、データ源２３６からの多くのデータストリームについてのトラフィックデータも受信するＴＸデータプロセッサ２３８により処理され、変調器２８０により変調され、送信機２５４ａ〜２５４ｒにより調節され、送信機システム２１０に送り戻される。
【００２４】
送信機システム２１０では、受信機システム２５０からの変調信号がアンテナ２２４により受信され、受信機２２２により調節され、復調器２４０により復調され、ＲＸデータプロセッサ２４２により処理されて、受信機システム２５０により送信された逆方向リンクメッセージを抽出する。そして、プロセッサ２３０は、ビームフォーミング加重を決定するのにどのプリコーディングマトリクスを使用するかを決定し、そして、抽出されたメッセージを処理する。
【００２５】
図３を参照すると、この図は、本発明の一実施形態による通信デバイスの代替的な簡易機能ブロック図を示している。図３に示されるように、無線通信システムにおける通信デバイスは、図１のＵＥ（若しくはＡＴ）１１６及び１２２又は図１の基地局（若しくはＡＮ）１００を実現するのに利用可能であり、無線通信システムは、ＬＴＥシステムであることが好ましい。通信デバイスは、入力デバイス３０２、出力デバイス３０４、制御回路３０６、中央演算処理装置（ＣＰＵ）３０８、メモリ３１０、プログラムコード３１２、及びトランシーバ３１４を含んでよい。制御回路３０６は、ＣＰＵ３０８を介してメモリ３１０内のプログラムコード３１２を実行することにより、通信デバイスの動作を制御する。通信デバイス３００は、キーボード、キーパッド等の入力デバイス３０２を介してユーザにより入力された信号を受信することができ、モニタ、スピーカ等の出力デバイス３０４を介して画像及び音声を出力することができる。トランシーバ３１４は、無線信号を受信及び送信するのに使用され、受信信号を制御回路３０６に伝達すると共に、制御回路３０６により生成された信号を無線で出力する。無線通信システムにおける通信デバイス３００は、図１のＡＮ１００を実現するのにも利用可能である。
【００２６】
図４は、本発明の一実施形態による図３に示すプログラムコード３１２の簡易ブロック図である。本実施形態において、プログラムコード３１２は、アプリケーションレイヤ４００、レイヤ３部４０２、及びレイヤ２部４０４を含み、レイヤ１部４０６に結合されている。レイヤ３部４０２は一般的に、無線リソース制御を実行する。レイヤ２部４０４は一般的に、リンク制御を実行する。レイヤ１部４０６は一般的に、物理的接続を実行する。
【００２７】
ＬＴＥ、ＬＴＥ−Ａ、又はＮＲシステムの場合、レイヤ２部４０４は、無線リンク制御（ＲＬＣ）レイヤ及び媒体アクセス制御（ＭＡＣ）レイヤを含むことができる。レイヤ３部４０２は、無線リソース制御（ＲＲＣ）レイヤを含むことができる。
【００２８】
一般に、従来のＬＴＥにおけるブロードキャスト又はマルチキャスト技術は、３ＧＰＰ  ＴＳ  ２２．１４６、ＴＳ  ２２．２４６、ＴＳ  ２３．２４６、ＴＳ  ２６．３４６、及びＴＲ  ３６．８９０で論じられている。
【００２９】
ＮＲにおけるブロードキャスト又はマルチキャストの場合、いくつかの関連する使用ケースが、次のようにＴＲ  ２２．８９１で説明されている。
（外１−１）
2020048232.tif 000003
（外１−２）
2020048232.tif 000004
（外１−３）
2020048232.tif 000005
【００３０】
ＮＲにおけるブロードキャスト又はマルチキャストの場合の使用ケースも、次のように３ＧＰＰ  ＴＲ  ２２．８６４で説明されている。
（外２）
2020048232.tif 000006
【００３１】
追加的に、ブロードキャスト又はマルチキャストのための使用ケースが、次のようにＭＧＭＮ  ５Ｇ  Ｗｈｉｔｅ  Ｐａｐｅｒで説明されている。
（外３）
2020048232.tif 000007
【００３２】
ＲＡＮ２におけるＮＲ研究の進展は、３ＧＰＰ  ＴＲ  ３８．８０４に記録されている。ＲＲＣ＿ＩＮＡＣＴＩＶＥと呼ばれるＲＡＮ制御ＲＲＣ状態が、次のようにＮＲにおいて考えることができる。
（外４−１）
2020048232.tif 000008
（外４−２）
2020048232.tif 000009
（外４−３）
2020048232.tif 000010
【００３３】
Ｎｅｗ  Ｒａｄｉｏ（新しい無線）とも呼ばれる新ＲＡＴにおけるブロードキャスト又はマルチキャストに関連する要件は、次のように３ＧＰＰ  ＴＲ  ３８．９１３で論じられている。
（外５）
2020048232.tif 000011
【００３４】
ＬＴＥにおけるＭＢＭＳ（Multimedia  Broadcast  Multicast  Service）関連のシステム情報は、次のように３ＧＰＰ  ＴＳ  ３６．３３１にて導入された。
（外６−１）
2020048232.tif 000012
（外６−２）
2020048232.tif 000013
（外６−３）
2020048232.tif 000014
（外６−４）
2020048232.tif 000015
【００３５】
以下、次の専門用語のうちの１つ以上を使用してよい。
−  ｇＮＢ：５Ｇ  Ｎｅｗ  Ｒａｄｉｏ（ＮＲ）における基地局はｇＮＢと呼ぶことができる。
−  ＮＲ−ＤＴＣＨ：ＮＲにおけるユニキャストサービスのパケットを搬送するために使用されるチャネルである。ＬＴＥにおけるＤＴＣＨと同じ、又は類似してよい。
−  ローエンド（Low-end）ＵＥ：ＵＥは、ある数のヌメロロジを超えたヌメロロジを介して同時にネットワークと通信することをサポートしない。ある数は１でよい。
−  ＭＢＭＳサービスエリア（Service  Area）：特定のＭＢＭＳセッションのデータが送信されるエリアである。ＭＢＭＳベアラサービスの各個々のＭＢＭＳセッションは、３ＧＰＰ  ＴＳ  ２３．２４６において論じられているように、異なるＭＢＭＳサービスエリア（ＳＡ）に送信することができる。セルは、１つ以上のＭＢＭＳ  ＳＡに属することができ、従って、３ＧＰＰ  ＴＳ  ２３．００３で論じられているように、１つ以上のＭＢＭＳサービスエリア識別情報（ＳＡＩ）によってアドレス可能である。
−  ＮＲ−ＭＣＣＨ：ＮＲにおけるブロードキャスト又はマルチキャストサービスに関連する制御情報を搬送するために使用されるチャネルである。３ＧＰＰ  ＴＳ  ３６．３３１で論じられているように、ＬＴＥにおけるＭＣＣＨ又はＳＣ−ＭＣＣＨと同じ、又は類似してよい。
−  ＮＲ−ＭＣＨ：ＮＲ−ＭＣＣＨ及びＮＲ−ＭＴＣＨからパケットを搬送するために使用されるチャネルである。
−  ＮＲ−ＭＴＣＨ：ＮＲにおけるブロードキャスト又はマルチキャストサービスのパケットを搬送するために使用されるチャネルである。３ＧＰＰ  ＴＳ  ３６．３３１で論じられているように、ＬＴＥにおけるＭＴＣＨ又はＳＣ−ＭＴＣＨと同じ、又は類似してよい。
−  ブロードキャスト又はマルチキャストサービス：ブロードキャスト又はマルチキャストサービスのパケットは、ブロードキャスト又はマルチキャスト方式を介して複数のＵＥに一度に提供される。ＭＢＭＳサービス、Ｖ２Ｘサービス、あるいはダウンロード、ストリーミング、グループ通信、又はテレビについてのものとしてよい。
−  ヌメロロジ：フレーム構造及び／又はサブフレーム構造を定義するために使用されるパラメータのセットを指すことができる。パラメータのセットは、少なくともサブキャリア間隔、シンボル長、ＣＰ長、及び／又はＴＴＩ長を含むことができる。
−  ブロードキャスト又はマルチキャストのための関心指示：ＵＥがブロードキャスト又はマルチキャストサービスの受信に関心があることをｇＮＢに通知するために使用される指示である。その指示は、ＵＥが関心を持っているブロードキャスト又はマルチキャストサービスに関連する情報を提供してよく、例えば、周波数、サービスＩＤ等である。
−  ブロードキャスト又はマルチキャストのためのＳＩ：ブロードキャスト又はマルチキャストに関連する構成及び／又は情報を搬送するシステム情報であり、例えば、ＮＲ−ＭＣＣＨの構成、ＮＲ−ＭＣＣＨの変更通知の構成、ＭＢＳＦＮエリアの情報、ブロードキャスト又はマルチキャストサービスエリアの情報等である。ＳＩは、ＬＴＥにおけるＭＢＭＳのためのシステム情報によって運ばれるパラメータの一部又はすべてを運ぶことができ、例えば、ＳystemInformationBlockType13、SystemInformationBlockType15、及び／又はSystemInformationBlockType20である。
−  ＴＭＧＩ：ＴＭＧＩは、３ＧＰＰ  ＴＳ  ２３．２４６で論じられているように、ＬＴＥにおける１つのＰＬＭＮ内の１つのブロードキャスト又はマルチキャストベアラサービスを識別するために使用することができる。
−  ＴＴＩ：時間領域におけるスケジューリング単位である。ＴＴＩ長は、ＴＴＩに関連するスロット及び／又はシンボルの長さに関連し、及び／又はＴＴＩに関連するヌメロロジに関連する。
−  ＵＳＤ：ＵＳＤでは、アプリケーション／サービスレイヤが、ブロードキャスト又はマルチキャストサービスごとに、識別情報（例えば、ＬＴＥにおけるＴＭＧＩ）、セッションの開始及び終了時間、頻度等を提供する。ＬＴＥでは、ＵＳＤは、３ＧＰＰ  ＴＲ  ３６．３００で論じられているように、ＭＢＭＳサービスエリアに属するＭＢＭＳサービスエリア識別情報を提供する。
−  帯域幅部分：周波数位置（例えば、中心周波数）及び帯域幅によって定義することができる。搬送波の一部であってもよい（例えば、帯域幅部分の帯域幅は、搬送波の搬送波帯域幅よりも小さい、又はこれと等しくすることができる）。１つの帯域幅部分は、１つのヌメロロジに関連付けられ得る。
【００３６】
１つのシナリオでは、ＵＥは、ＵＥが関心のあるブロードキャスト又はマルチキャストサービスを受信している間、静止している可能性がある。さらに、ブロードキャスト又はマルチキャストサービスは、ＵＳＤの受信後すぐに開始されない可能性があり、ＵＥは活性化した（activated）ユニキャストサービスを有していない可能性があると仮定する。このシナリオのフローチャートの一例を図５に示し、以下に説明する。
ステップ１：ＵＥがパワーオンされると、ＵＥはセル選択を実行し、次いで、サービングセルにキャンプオンする。ＵＥは、サービングセルのｇＮＢから最低限ＳＩを受信する。最低限ＳＩに基づいて、ＵＥは、ブロードキャスト又はマルチキャストサービスに関連する他のＳＩがこのセルで利用可能であるかどうかを知ることができる。
ステップ２：ＵＥは、ネットワークへの初期接続を実行し、ＲＲＣ＿ＣＯＮＮＥＣＴＥＤに移行し、関連する登録及び許可／認証を完了することができる。ＵＥは、コアネットワーク内でブロードキャスト又はマルチキャストサービスエンティティとのＰＤＮ接続を確立し、ブロードキャスト又はマルチキャストサービスエンティティからＵＳＤ情報を取得することができる。
ステップ３：例えば、ＵＥがなんら進行中のユニキャストサービスを有していない可能性があるため、ｇＮＢはＲＲＣ状態変更コマンドを送信して、ＵＥをＲＲＣ＿ＣＯＮＮＥＣＴＥＤからＲＲＣ＿ＩＮＡＣＴＩＶＥに遷移させることができる。
ステップ４：ブロードキャスト又はマルチキャストサービスを受信するために、ＵＥは、関心のあるブロードキャスト又はマルチキャストサービスが開始されそうな前に、ブロードキャスト又はマルチキャストサービスの受信のための関連する構成を知る必要があり得る。関連する構成は、システム情報で提供されることができる。システム情報は、他のＳＩで提供されることができる。他のＳＩを提供するようにｇＮＢをトリガするために、ＵＥは、この目的のためにｇＮＢに要求（例えば、ＲＲＣメッセージ又はＭＡＣ制御要素）を送信することができる。次いで、ＵＥは、ｇＮＢから他のＳＩを受信する。
ステップ５：ＵＥは、ＮＲ−ＭＣＣＨ上の制御情報の変更を示すために使用される通知の監視を開始する。通知を受信した場合、ＵＥは、ＮＲ−ＭＣＣＨ上で新しい制御情報を受信する。
ステップ６：ＵＥは、ＮＲ−ＭＣＣＨ上で受信した新しい制御情報に基づいて、ＵＥがブロードキャスト又はマルチキャストカウントに関心がある、又は必要とするブロードキャスト又はマルチキャストサービスの開始を認識することができる。受信した制御情報に基づいて、ＵＥは、ＮＲ−ＭＴＣＨ上でブロードキャスト又はマルチキャストサービスを受信する方法に関連する構成を知る。
ステップ７：ＵＥは、ＮＲ−ＭＣＣＨ（及びＮＲ−ＭＣＨスケジューリング情報）上の制御情報に基づいて、ＵＥが関心のあるブロードキャスト又はマルチキャストサービスに関連するＮＲ−ＭＴＣＨを受信する。
ステップ８：ＵＥは、あらゆるブロードキャスト又はマルチキャストサービスに関心がなくなった、又はすべての関心のあるブロードキャスト又はマルチキャストサービスのセッションが停止したとき、ブロードキャスト又はマルチキャストの監視を停止する。
【００３７】
１つのシナリオでは、ＵＥは、ＵＥが関心のあるブロードキャスト又はマルチキャストサービスを受信している間、静止している可能性がある。さらに、ブロードキャスト又はマルチキャストサービスが既に進行中である可能性があり、又はＵＳＤの受信後すぐに開始される可能性があり、及び／又はＵＥが活性化したユニキャストサービスを有している可能性があると仮定する。このシナリオのフローチャートの一例を図４に示し、以下に説明する。
ステップ１：ＵＥがパワーオンされると、ＵＥはセル選択を実行し、次いで、適切なセルにキャンプオンする。ＵＥは、適切なセルのｇＮＢから最低限ＳＩを受信する。最低限ＳＩに基づいて、ＵＥは、ブロードキャスト又はマルチキャストサービスに関連する他のＳＩがこのセルで利用可能であるかどうかを知ることができる。
ステップ２：ＵＥは、ネットワークへの初期接続を実行し、ＲＲＣ＿ＣＯＮＮＥＣＴＥＤに移行し、関連する登録及び許可／認証を完了することができる。ＵＥは、コアネットワーク内でブロードキャスト又はマルチキャストサービスエンティティとのＰＤＮ接続を確立し、ブロードキャスト又はマルチキャストサービスエンティティからＵＳＤ情報を取得することができる。
ステップ３：ブロードキャスト又はマルチキャストサービスを受信するために、ＵＥは、ブロードキャスト又はマルチキャストサービスの受信のための関連する構成を知る必要があり得る。関連する構成は、システム情報で提供されることができる。システム情報は、他のＳＩで提供されることができる。
他のＳＩを提供するようにｇＮＢをトリガするために、ＵＥは、この目的のためにｇＮＢに要求（例えば、ＲＲＣメッセージ又はＭＡＣ制御要素）を送信することができる。次いで、ＵＥは、ｇＮＢから他のＳＩを受信する。
ＵＥは、ＵＥが関心のあるブロードキャスト又はマルチキャストサービスの受信を保証するために、ブロードキャスト又はマルチキャストための関心指示をｇＮＢに送信する。
ステップ４：ＵＥは、ＮＲ−ＭＣＣＨ上の制御情報の変更を示すために使用される通知の監視を開始する。通知を受信した場合、ＵＥは、ＮＲ−ＭＣＣＨ上で新しい制御情報を受信する。
ステップ５：ＵＥは、ＮＲ−ＭＣＣＨ上で受信した新しい制御情報に基づいて、ＵＥがブロードキャスト又はマルチキャストカウントに関心がある、又は必要とするブロードキャスト又はマルチキャストサービスの開始を認識することができる。受信した制御情報に基づいて、ＵＥは、ＮＲ−ＭＴＣＨ上でブロードキャスト又はマルチキャストサービスを受信する方法に関連する構成を知る。
ステップ６：ＵＥが関心のあるブロードキャスト又はマルチキャストサービスのカウントをＵＥが要求された場合、ＵＥは、カウント応答をｇＮＢに送信することができる。
ステップ７：ＵＥは、ＮＲ−ＭＣＣＨ（及びＮＲ−ＭＣＨスケジューリング情報）上の制御情報に基づいて、ＵＥが関心のあるブロードキャスト又はマルチキャストサービスに関連するＮＲ−ＭＴＣＨを受信する。
ステップ８：ＵＥは、あらゆるブロードキャスト又はマルチキャストサービスの関心がなくなった、又はすべての関心のあるブロードキャスト又はマルチキャストサービスのセッションが停止したとき、ブロードキャスト又はマルチキャストの監視を停止する。
【００３８】
異なるブロードキャスト又はマルチキャストサービスであれば異なるＱｏＳを必要とする可能性があるため、ＮＲが異なるヌメロロジを使用して異なるブロードキャスト又はマルチキャストサービスをサポートすることが有益である。ブロードキャスト又はマルチキャストサービスの成功した送信を達成するためには、ブロードキャスト又はマルチキャストサービスによって使用されるヌメロロジの理解がｇＮＢとＵＥとで同じにすべきである。その理解を整合させる方法を検討すべきである。
【００３９】
ヌメロロジを決定するためのいくつかの選択肢が存在する：
−  ブロードキャスト又はマルチキャストサービスのためのヌメロロジは、ＵＳＤで提供される。
−  ブロードキャスト又はマルチキャストサービスのためのヌメロロジは、ＮＲ−ＭＣＣＨを介して提供される。
−  ＮＲ−ＭＣＨのためのヌメロロジは、ＮＲ−ＭＣＣＨを介して提供される。
−  ＮＲ−ＭＣＨのためのヌメロロジは、他のＳＩで提供される。
−  ＴＴＩのためのヌメロロジは、ＮＲ−ＭＣＣＨを介して提供される。
−  ＭＢＳＦＮエリアのためのヌメロロジは、他のＳＩで提供される。
−  ＭＢＭＳサービスエリアのためのヌメロロジは、他のＳＩで提供される。
−  ＮＲ−ＭＣＣＨのためのヌメロロジは、他のＳＩで提供され、ブロードキャスト又はマルチキャストサービスのためのヌメロロジは、関連するＮＲ−ＭＣＣＨによって使用されるものと同じである。
−  ブロードキャスト又はマルチキャストサービスＱｏＳ又はグループは、ＵＳＤで提供され、ＱｏＳ又はグループのためのヌメロロジは、他のＳＩで提供される。
−  ブロードキャスト又はマルチキャストサービスＱｏＳ又はグループは、ＵＳＤで提供され、ＱｏＳ又はグループのためのヌメロロジは、ＮＲ−ＭＣＣＨを介して提供される。
−  ブロードキャスト又はマルチキャストサービスを運ぶために使用される帯域幅部分は、ＵＳＤで提供され、帯域幅部分のためのヌメロロジは、他のＳＩで提供される。
−  ブロードキャスト又はマルチキャストサービスを運ぶために使用される帯域幅部分は、ＵＳＤで提供され、帯域幅部分のためのヌメロロジは、ＮＲ−ＭＣＣＨを介して提供される。
【００４０】
各選択肢の詳細については後述する。
【００４１】
ＮＲ−ＭＣＣＨによって使用されるヌメロロジ（例えば、ＮＲ−ＭＣＣＨからトランスポートブロックを送信するために使用されるヌメロロジ）は、（ｉ）（例えば、最低限ＳＩによって使用される）デフォルトのヌメロロジ、（ｉｉ）ブロードキャスト又はマルチキャストサービスによって使用されるヌメロロジと同じ特定のヌメロロジ、又は（ｉｉｉ）（ブロードキャスト又はマルチキャストのために）最低限ＳＩ又は他のＳＩによって示される特定のヌメロロジとすることができる。
【００４２】
１つの代替案では、各ブロードキャスト又はマルチキャストサービスは、１つのヌメロロジ及び／又は帯域幅部分に関連付けられることができる。この関連の情報は、無線アクセス、スケジューリング等のための、ブロードキャスト又はマルチキャストサービス構成（例えば、識別情報）の構成と一緒に提供されることができる。この関連の情報は、コアネットワーク（例えば、ＬＴＥにおけるＭＣＥ）によりｇＮＢに提供されることができる。この関連の情報は、ＮＲ−ＭＣＣＨ（この情報が無線リソースパラメータであるため）を介して、あるいはブロードキャスト又はマルチキャストサービスの情報、関連するヌメロロジの情報、及び／又は帯域幅部分の情報に関してＵＥに示すために使用されるアプリケーションレイヤシグナリングを介して（例えば、３ＧＰＰ  ＴＳ  ２６．３４６で論じられているように、上位レイヤにおけるブロードキャスト又はマルチキャストユーザサービスディスカバリ／アナウンス手順を使用して）、ＵＥに提供されることができる。この代替案の例は、図７及び図１０に示すことができる。
【００４３】
その関連の情報がＵＳＤで提供される場合、次のステップのうちの１つ以上を実行してよい。
・  ＵＥは、コアネットワークからＵＳＤを取得することができる。ＵＳＤは、ブロードキャスト又はマルチキャストサービスの識別情報を含むことができる。
・  ＵＥは、例えば、デフォルトのヌメロロジ又はｇＮＢによって決定された特定のヌメロロジでの専用シグナリング、あるいはデフォルトのヌメロロジ又は最低限ＳＩに基づく特定のヌメロロジでのブロードキャストシグナリングを介して、ブロードキャスト又はマルチキャストのためのＳＩを取得することができる。ブロードキャスト又はマルチキャストのためのＳＩは、通知及び／又はＮＲ−ＭＣＣＨの受信のための構成を含むことができる。ＮＲ−ＭＣＣＨの受信のための構成は、ＵＥがＮＲ−ＭＣＣＨを受信することができるリソース割り当てのセット（例えば、フレーム、サブフレーム、シンボル、及び／又はスロット）を示すことができる。通知の受信のための構成は、ＵＥが通知を受信することができるリソース割り当てのセット（例えば、フレーム、サブフレーム、シンボル及び／又はスロット）を示すことができる。ブロードキャスト又はマルチキャストのためのＳＩは、通知の受信のためのヌメロロジ（例えば、デフォルトのヌメロロジ又は特定のヌメロロジ）をさらに示すことができる。ブロードキャスト又はマルチキャストのためのＳＩは、ＮＲ−ＭＣＣＨの受信のためのヌメロロジ（例えば、デフォルトのヌメロロジ又は特定のヌメロロジ）を示すこともできる。通知の受信のために使用されるヌメロロジは、ＮＲ−ＭＣＣＨの受信のために使用されるヌメロロジと同じでも異なってもよい。システム情報（例えば、ブロードキャスト又はマルチキャストのためのＳＩ）は、ＮＲ−ＭＣＣＨ及び／又はＮＲ−ＭＴＣＨを受信するために使用される帯域幅部分とヌメロロジとの間の関連を示すことができる。
・  ＵＥは、ブロードキャスト又はマルチキャストのためのＳＩに基づいて、ＮＲ−ＭＣＣＨに関するＮＲ−ＭＣＣＨ情報を受信することができる。ＮＲ−ＭＣＣＨ情報は、ＮＲ−ＭＣＨの構成を含むことができる。ＮＲ−ＭＣＨの構成は、ブロードキャスト又はマルチキャストサービスの識別情報（例えばＴＭＧＩ）とＮＲ−ＭＴＣＨの識別情報（例えばＬＣＩＤ）との間の関連を含むことができる。ＮＲ−ＭＣＨの構成は、ＵＥが、スケジューリング情報、及び／又はＵＥが関心のあるブロードキャスト又はマルチキャストサービスに関連するＮＲ−ＭＴＣＨを受信することができるリソース割り当てのセット（例えば、フレーム、サブフレーム、シンボル、及び／又はスロット）を示すことができる。
・  ＵＥは、（ＮＲ−ＭＣＨスケジューリング情報と）ＮＲ−ＭＣＨの構成に基づいてＮＲ−ＭＴＣＨを受信することができる。ＮＲ−ＭＴＣＨを受信するために使用されるヌメロロジは、ＵＳＤに基づくことができる。ＮＲ−ＭＴＣＨを受信するために使用されるヌメロロジは、ＵＳＤ及びシステム情報（例えば、ブロードキャスト又はマルチキャストのためのＳＩ）から導出することができる。ＮＲ−ＭＴＣＨを受信するために使用されるヌメロロジは、ＵＳＤ及び／又は事前構成から導出することができる。システム情報又は事前構成は、ＮＲ−ＭＴＣＨを受信するために使用されるヌメロロジが、ＵＳＤで示された帯域幅部分に関連付けられていることを示すことができる。ＮＲ−ＭＴＣＨを受信するために使用されるヌメロロジは、ＭＡＣ制御要素（例えば、ＮＲ−ＭＣＨスケジューリング情報ＭＡＣ制御要素）で示すことができる。ＭＡＣ制御要素は、ＮＲ−ＭＴＣＨの最初の送信機会、サブフレーム、又はスケジューリング単位で受信することができる。
【００４４】
その関連の情報がＮＲ−ＭＣＣＨで提供される場合、次のステップのうちの１つ以上を実行してよい
・  ＵＥは、コアネットワークからＵＳＤを取得することできる。ＵＳＤは、ブロードキャスト又はマルチキャストサービスの識別情報を含むことができる。ＵＳＤは、各ブロードキャスト又はマルチキャストサービスのためのヌメロロジを示すいかなる情報を含まなくてよい。
・  ＵＥは、例えば、デフォルトのヌメロロジ又はｇＮＢによって決定された特定のヌメロロジでの専用シグナリング、あるいはデフォルトのヌメロロジ又は最低限ＳＩに基づく特定のヌメロロジでのブロードキャストシグナリングを介して、ブロードキャスト又はマルチキャストのためのＳＩを取得することができる。ブロードキャスト又はマルチキャストのためのＳＩは、通知及び／又はＮＲ−ＭＣＣＨの受信のための構成を含むことができる。ＮＲ−ＭＣＣＨの受信のための構成は、ＵＥがＮＲ−ＭＣＣＨを受信することができるリソース割り当てのセット（例えば、フレーム、サブフレーム）を示すことができる。通知の受信のための構成は、ＵＥが通知を受信することができるリソース割り当てのセット（例えば、フレーム、サブフレーム）を示すことができる。ブロードキャスト又はマルチキャストのためのＳＩは、通知の受信のためのヌメロロジ（例えば、デフォルトのヌメロロジ又は特定のヌメロロジ）をさらに示すことができる。ブロードキャスト又はマルチキャストのためのＳＩは、ＮＲ−ＭＣＣＨの受信のためのヌメロロジ（例えば、デフォルトのヌメロロジ又は特定のヌメロロジ）を示すこともできる。通知の受信のために使用されるヌメロロジは、ＮＲ−ＭＣＣＨの受信のために使用されるヌメロロジと同じでも異なってもよい。
・  ＵＥは、ブロードキャスト又はマルチキャストのためのＳＩに基づいて、ＮＲ−ＭＣＣＨに関するＮＲ−ＭＣＣＨ情報を受信することができる。ＮＲ−ＭＣＣＨ情報は、リソース割り当てのセット（例えば、フレーム／サブフレーム）を含むことができる。ＮＲ−ＭＣＣＨ情報は、ＮＲ−ＭＣＨの構成を含むことができる。ＮＲ−ＭＣＨの各構成は、ＵＥが、リソース割り当てのセット内でＵＥが関心のあるブロードキャスト又はマルチキャストサービスに関連するＮＲ−ＭＣＨスケジューリング情報及び／又はＮＲ−ＭＴＣＨをどこで受信することができるかを示すことができる。ＮＲ−ＭＣＣＨ情報は、各ＮＲ−ＭＣＨ又はリソース割り当てのサブセット（例えば、フレーム、サブフレーム、シンボル、及び／又はスロット）が、特定のヌメロロジに関連付けられていることを示すことができる。ＮＲ−ＭＣＨの各構成は、ブロードキャスト又はマルチキャストサービスの識別情報（例えばＴＭＧＩ）とＮＲ−ＭＴＣＨ（例えばＬＣＩＤ）の識別情報との間の関連を含むことができる。代替的には、ＮＲ−ＭＣＨの各構成は、ブロードキャスト又はマルチキャストサービスの識別情報（例えば、ＴＭＧＩ）と特定のヌメロロジとの間の関連、あるいはＮＲ−ＭＴＣＨの識別情報（例えば、ＬＣＩＤ）と特定のヌメロロジとの間の関連を含むことができる。
・  ＵＥは、（ＮＲ−ＭＣＨスケジューリング情報と）ＮＲ−ＭＣＨの構成に基づいてＮＲ−ＭＴＣＨを受信することができる。ＮＲ−ＭＴＣＨを受信するために使用されるヌメロロジは、ＮＲ−ＭＣＣＨ情報に基づく。
・  代替的には、ＵＥは、例えば、ＮＲ−ＭＣＣＨ情報における特定のヌメロロジを示すなんらかの情報なしで、ＵＥがＮＲ−ＭＣＣＨ情報を受信するものと同じヌメロロジを使用してＮＲ−ＭＴＣＨを受信することができる。ＮＲ−ＭＣＣＨ情報を受信するために使用されるヌメロロジは、ブロードキャスト又はマルチキャストのためのＳＩに基づくことができる。ＮＲ−ＭＣＣＨ情報を受信するのに使用されるヌメロロジは、ＵＳＤ及びシステム情報（例えば、ブロードキャスト又はマルチキャストのためのＳＩ）から導出されてもよい。さらに、ＮＲ−ＭＣＣＨ情報を受信するために使用されるヌメロロジは、ＵＳＤ及び／又は事前構成から導出することができる。システム情報又は事前構成は、ＮＲ−ＭＣＣＨを受信するために使用されるヌメロロジが、ＵＳＤで示された帯域幅部分に関連付けられていることを示すことができる。
【００４５】
別の代替案では、同じＱｏＳを有するブロードキャスト又はマルチキャストサービスを、例えば、グループＩＤ、ＱｏＳインデックス、ＭＢＭＳ  ＳＡＩ、又はＭＢＳＦＮエリアＩＤで一緒にグループ化することができる。そして、１つのグループは、特定のヌメロロジに関連付けられることができ、例えば、その関連はシステム情報、例えばブロードキャスト又はマルチキャストのための他のＳＩ、又はＮＲ−ＭＣＣＨで提供されることができる。この代替案では、ブロードキャスト又はマルチキャストサービスごとにヌメロロジが示される必要はない。ブロードキャスト又はマルチキャストサービスのグループ情報は、上位レイヤ（例えば、ＵＳＤ）におけるブロードキャスト又はマルチキャストユーザサービスディスカバリ／アナウンス手順を介して、明示的又は暗示的にＵＥに示されることができる。グループと特定のヌメロロジとの間のその関連の情報は、コアネットワーク（例えば、ＬＴＥのＭＣＥ）からｇＮＢに提供されることができる。この代替案の例を図８及び図１１に示すことができる。
【００４６】
次のステップのうちの１つ以上を実行してよい。
・  ＵＥは、コアネットワークからＵＳＤを取得することができる。ＵＳＤは、ブロードキャスト又はマルチキャストサービスの識別情報を含むことができる。ＵＳＤは、ブロードキャスト又はマルチキャストサービスのための特定のヌメロロジを導出するために使用される指示を含んでも、含まなくてもよい。その指示は、ＱｏＳの識別情報、ブロードキャスト又はマルチキャストエリアの識別情報（例えば、ＭＢＳＦＮエリアＩＤ）、ブロードキャスト又はマルチキャストサービスエリアのアイデンティティ（例えば、ＭＢＳＦＮサービスエリアＩＤ又はＭＢＭＳサービスエリアＩＤ）、グループの識別情報等とすることができる。
・  ＵＥは、例えば、デフォルトのヌメロロジ又はｇＮＢによって決定された特定のヌメロロジでの専用シグナリング、あるいはデフォルトのヌメロロジ又は最低限ＳＩに基づく特定のヌメロロジでのブロードキャストシグナリングを介して、ブロードキャスト又はマルチキャストのためのＳＩを取得することができる。ブロードキャスト又はマルチキャストのためのＳＩは、通知及び／又はＮＲ−ＭＣＣＨの受信のための構成を含むことができる。ＮＲ−ＭＣＣＨの受信のための構成は、ＵＥがＮＲ−ＭＣＣＨを受信することができるリソース割り当てのセット（例えば、フレーム、サブフレーム、シンボル、及び／又はスロット）を示すことができる。通知の受信のための構成は、ＵＥが通知を受信することができるリソース割り当てのセット（例えば、フレーム、サブフレーム、シンボル及び／又はスロット）を示すこともできる。ブロードキャスト又はマルチキャストのためのＳＩは、通知の受信のためのヌメロロジ（例えば、デフォルトのヌメロロジ又は特定のヌメロロジ）をさらに示すことができる。ブロードキャスト又はマルチキャストのためのＳＩは、ＮＲ−ＭＣＣＨの受信のためのヌメロロジ（例えば、デフォルトのヌメロロジ又は特定のヌメロロジ）を示すこともできる。通知の受信のために使用されるヌメロロジは、ＮＲ−ＭＣＣＨの受信のために使用されるヌメロロジと同じでも異なってもよい。ブロードキャスト又はマルチキャストのためのＳＩは、その指示と特定のヌメロロジとの間の関連を示すことができる。例えば、ブロードキャスト又はマルチキャストのためのＳＩは、ＱｏＳの識別情報と特定のヌメロロジとの間の関連を示すことができる。ブロードキャスト又はマルチキャストのためのＳＩは、ブロードキャスト又はマルチキャストエリアの識別情報と特定のヌメロロジとの間の関連を示すことができる。ブロードキャスト又はマルチキャストのためのＳＩは、ブロードキャスト又はマルチキャストサービスエリアＩＤの識別情報と特定のヌメロロジとの間の関連を示すことができる。ブロードキャスト又はマルチキャストのためのＳＩは、グループの識別情報と特定のヌメロロジとの間の関連を示すことができる。
・  ＵＥは、ブロードキャスト又はマルチキャストのためのＳＩに基づいて、ＮＲ−ＭＣＣＨに関するＮＲ−ＭＣＣＨ情報を受信することができる。ＮＲ−ＭＣＣＨ情報は、リソース割り当てのセット（例えば、フレーム、サブフレーム、シンボル、及び／又はスロット）を含むことができる。ＮＲ−ＭＣＣＨ情報は、ＮＲ−ＭＣＨの構成を含むこともできる。ＮＲ−ＭＣＨの各構成は、ＵＥが、リソース割り当てのセット内でＵＥが関心のあるブロードキャスト又はマルチキャストサービスに関連するＮＲ−ＭＣＨスケジューリング情報及び／又はＮＲ−ＭＴＣＨをどこで受信することができるかを示すことができる。
さらに、ＮＲ−ＭＣＣＨ情報は、ブロードキャスト又はマルチキャストのためのＳＩが関連情報を示さない場合に、その指示と特定のヌメロロジとの間の関連を示すことができる。例えば、ＮＲ−ＭＣＣＨ情報は、ＱｏＳの識別情報と特定のヌメロロジとの間の関連を示すことができる。ＮＲ−ＭＣＣＨ情報は、ブロードキャスト又はマルチキャストエリアの識別情報と特定のヌメロロジとの間の関連を示すことができる。ＮＲ−ＭＣＣＨ情報は、ブロードキャスト又はマルチキャストサービスエリアの識別情報と特定のヌメロロジとの間の関連を示すこともできる。ＮＲ−ＭＣＣＨ情報はさらに、グループの識別情報と特定のヌメロロジとの間の関連を示すことができる。
さらに、ＮＲ−ＭＣＣＨ情報は、ＮＲ−ＭＣＨの各構成又はリソース割り当てのサブセット（例えば、フレーム、サブフレーム、シンボル、及び／又はスロット）が、その指示に関連付けられ得るかを示すことができる。ＮＲ−ＭＣＨの各構成は、ブロードキャスト又はマルチキャストサービスの識別情報（例えばＴＭＧＩ）とＮＲ−ＭＴＣＨの識別（例えばＬＣＩＤ）との間の関連を含むことができる。
代替的には、ＮＲ−ＭＣＨの各構成は、ブロードキャスト又はマルチキャストサービスの識別情報（例えば、ＴＭＧＩ）とその指示との間の関連、あるいはＮＲ−ＭＴＣＨの識別情報（例えば、ＬＣＩＤ）とその指示との間の関連を含むことができる。
・  ＵＥは、（ＮＲ−ＭＣＨスケジューリング情報と）ＮＲ−ＭＣＨの構成に基づいてＮＲ−ＭＴＣＨを受信することができる。ＮＲ−ＭＴＣＨを受信するために使用されるヌメロロジは、その指示に基づく。
・  代替的には、ＵＥは、例えば、その指示がＵＳＤで提供されない場合に、ＮＲ−ＭＣＣＨ情報を受信するのと同じヌメロロジでＮＲ−ＭＴＣＨを受信することができる。ＮＲ−ＭＣＣＨ情報を提供するために使用されるヌメロロジは、ブロードキャスト又はマルチキャストのためのＳＩに基づく。
【００４７】
代替的には、ＵＳＤに基づいて、ＵＥは、各ブロードキャスト又はマルチキャストサービスが、例えば、ＴＭＧＩ、セッションの開始及び終了時間、周波数、及びブロードキャスト又はマルチキャストサービスエリアに属する、ブロードキャスト又はマルチキャストサービスエリア識別情報（ＳＡＩ）に関連付けられ得ることを知ることができる。ＵＳＤに含まれる周波数は、ブロードキャスト又はマルチキャストサービスを提供するセルのキャリア周波数、又は物理リソースブロックのセットとすることができる。代替的には、ＵＳＤに含まれる周波数は、帯域幅部分の周波数位置又は中心周波数とすることができる。周波数は、帯域幅部分又は搬送波空間に関連付けられることができる。
【００４８】
各ヌメロロジは、帯域幅部分又は搬送波空間に関連付けられ得るため、ブロードキャスト又はマルチキャストサービスのための帯域幅部分又は搬送波空間に属する又は関連する周波数を使用して、対応するヌメロロジを導出することができる。ＵＥは、例えば、システム情報、ＵＳＤ、又はＵＥ内の事前構成を介して、周波数と搬送波空間との間の関連、又は周波数と帯域幅部分との間の関連を認識することができる。ＵＥは、例えば、システム情報（例えば、最低限ＳＩ）を介して、又はＵＥ内の事前構成を介して、ヌメロロジと搬送波空間との間の関連、又はヌメロロジと帯域幅部分との間の関連を認識することができる。ＵＥは、ブロードキャスト又はマルチキャストサービスに関連付けられた周波数に基づいて、ＵＥが関心のあるブロードキャスト又はマルチキャストサービスをＵＥが受信することができる関連するヌメロロジを決定することができる。この代替案の例を図９及び図１２に示すことができる。
【００４９】
ＮＲ−ＭＣＣＨ及び／又はブロードキャスト又はマルチキャストサービスに関連する他のＳＩによって使用されるヌメロロジは、（１）デフォルトのヌメロロジ（例えば、最低限ＳＩによって使用される）、（２）ブロードキャスト又はマルチキャストサービスによって使用されるヌメロロジと同じ特定のヌメロロジ、あるいは（３）最低限ＳＩによって示される特定のヌメロロジとすることができる。
【００５０】
図１３は、基地局の観点からの例示的な一実施形態によるフローチャート１３００である。ステップ１３０５では、基地局は、ブロードキャスト又はマルチキャストサービスの識別情報と、ブロードキャスト又はマルチキャストサービスの送信のための第２のヌメロロジの識別情報又はインデックスと、を含む第３のシグナリングを受信する。ステップ１３１０では、基地局は、第２のヌメロロジを使用して、ブロードキャスト又はマルチキャストサービスを送信する。
【００５１】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、基地局が、（ｉ）ブロードキャスト又はマルチキャストサービスの識別情報と、ブロードキャスト又はマルチキャストサービスの送信のための第２のヌメロロジの識別情報又はインデックスと、を含む第３のシグナリングを受信することと、（ｉｉ）第２のヌメロロジを使用して、ブロードキャスト又はマルチキャストサービスを送信することと、を可能にする。さらに、ＣＰＵ３０８は、プログラムコード３１２を実行して、本明細書で説明した上述の動作及びステップ又は他のもののすべてを実行することができる。
【００５２】
図１４は、基地局の観点からの例示的な一実施形態によるフローチャート１４００である。ステップ１４０５では、基地局は、ブロードキャスト又はマルチキャストサービスの識別情報と、ブロードキャスト又はマルチキャストサービスの送信のための第２のヌメロロジの識別情報又はインデックスと、を含む第１のシグナリングを送信する。ステップ１４１０では、基地局は、第２のヌメロロジを使用して、ブロードキャスト又はマルチキャストサービスを送信する。
【００５３】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、基地局が、（ｉ）ブロードキャスト又はマルチキャストサービスの識別情報と、ブロードキャスト又はマルチキャストサービスの送信のための第２のヌメロロジの識別情報又はインデックスと、を含む第１のシグナリングを送信することと、（ｉｉ）第２のヌメロロジを使用して、ブロードキャスト又はマルチキャストサービスを送信することと、を可能にする。さらに、ＣＰＵ３０８は、プログラムコード３１２を実行して、本明細書で説明した上述の動作及びステップ又は他のもののすべてを実行することができる。
【００５４】
上記に論じ、図１３及び図１４に示した実施形態の文脈においては、一実施形態では、基地局は、第２のシグナリングを送信するための構成を含む、ブロードキャスト又はマルチキャストのためのシステム情報を送信することができる。第２のシグナリングを送信するための構成は、基地局が第２のシグナリングを送信するリソース割り当て（例えば、フレーム、サブフレーム、シンボル、及び／又はスロットのセット）を含むことができる。ブロードキャスト又はマルチキャストのためのシステム情報は、第２のシグナリングの送信のための第１のヌメロロジの識別情報又はインデックスを含むことができる。
【００５５】
一実施形態では、基地局は、ブロードキャスト又はマルチキャストサービスを送信するための構成を含む第２のシグナリングを送信することができる。ブロードキャスト又はマルチキャストサービスを送信するための構成は、基地局がブロードキャスト又はマルチキャストを送信するリソース割り当て（例えば、フレーム、サブフレーム、シンボル、及び／又はスロットのセット）を含むことができる。
【００５６】
図１５は、ＵＥの観点からの例示的な一実施形態によるフローチャート１５００である。ステップ１５０５では、ＵＥは、ブロードキャスト又はマルチキャストサービスの識別情報と、ブロードキャスト又はマルチキャストサービスの受信のための第２のヌメロロジの識別情報／インデックスと、を含む第１のシグナリングを受信する。ステップ１５１０では、ＵＥは、第２のヌメロロジを使用して、第１のシグナリングに基づいたブロードキャスト又はマルチキャストサービスを受信する。
【００５７】
一実施形態では、ＵＥは、第２のシグナリングを受信するための構成を含む、ブロードキャスト又はマルチキャストのためのシステム情報を受信することができる。第２のシグナリングを受信するための構成は、ＵＥが第２のシグナリングを受信するリソース割り当て（例えば、フレーム、サブフレーム、シンボル、及び／又はスロットのセット）を含むことができる。
一実施形態では、ＵＥは、ブロードキャスト又はマルチキャストサービスを受信するための構成を含む第２のシグナリングを受信することができる。ブロードキャスト又はマルチキャストサービスを受信するための構成は、ＵＥがブロードキャスト又はマルチキャストサービスを受信するリソース割り当て（例えば、フレーム、サブフレーム、シンボル、及び／又はスロットのセット）を含むことができる。ブロードキャスト又はマルチキャストのためのシステム情報は、第２のシグナリングの受信のための第１のヌメロロジの識別情報又はインデックスを含むことができる。
【００５８】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの識別情報と、ブロードキャスト又はマルチキャストサービスの受信のための第２のヌメロロジの識別情報／インデックスと、を含む第１のシグナリングを受信し、（ｉｉ）第２のヌメロロジを使用して、第１のシグナリングに基づいたブロードキャスト又はマルチキャストサービスを受信する。さらに、ＣＰＵ３０８は、プログラムコード３１２を実行して、本明細書で説明した上述の動作及びステップ又は他のもののすべてを実行することができる。
【００５９】
図１６は、基地局の観点からの例示的な一実施形態によるフローチャート１６００である。ステップ１６０５では、基地局は、ブロードキャスト又はマルチキャストサービスを送信するための構成と、ブロードキャスト又はマルチキャストサービスの送信のための第２のヌメロロジの識別情報又はインデックスと、を含む第２のシグナリングを送信する。ブロードキャスト又はマルチキャストサービスを送信するための構成は、基地局がブロードキャスト又はマルチキャストサービスを送信するリソース割り当て（例えば、フレーム、サブフレーム、シンボル、及び／又はスロットのセット）を含むことができる。ステップ１６１０では、基地局は、第２のヌメロロジを使用して、ブロードキャスト又はマルチキャストサービスを送信する。
【００６０】
一実施形態では、基地局は、ブロードキャスト又はマルチキャストサービスの識別情報を含む第１のシグナリングを送信することができる。さらに、基地局は、第２のシグナリングを送信するための構成を含む、ブロードキャスト又はマルチキャストのためのシステム情報を送信することができる。第２のシグナリングを送信するための構成は、基地局が第２のシグナリングを送信するリソース割り当て（例えば、フレーム、サブフレーム、シンボル、及び／又はスロットのセット）を含むことができる。ブロードキャスト又はマルチキャストのためのシステム情報は、第２のシグナリングの送信のための第１のヌメロロジの識別情報又はインデックスを含むことができる。
【００６１】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスを送信するための構成と、ブロードキャスト又はマルチキャストサービスの送信のための第２のヌメロロジの識別情報又はインデックスと、を含む第２のシグナリングを送信し、（ｉｉ）第２のヌメロロジを使用して、ブロードキャスト又はマルチキャストサービスを送信する。さらに、ＣＰＵ３０８は、プログラムコード３１２を実行して、本明細書で説明した上述の動作及びステップ又は他のもののすべてを実行することができる。
【００６２】
図１７は、ＵＥの観点からの例示的な一実施形態によるフローチャート１７００である。ステップ１７０５では、ＵＥは、ブロードキャスト又はマルチキャストサービスを受信するための構成と、ブロードキャスト又はマルチキャストサービスを受信するための第２のヌメロロジの識別情報又はインデックスと、を含む第２のシグナリングを受信する。ブロードキャスト又はマルチキャストサービスを受信するための構成は、ＵＥがブロードキャスト又はマルチキャストサービスを受信するリソース割り当て（例えば、フレーム、サブフレーム、シンボル、及び／又はスロットのセット）を含むことができる。ステップ１７１０では、ＵＥは、第２のヌメロロジを使用して、第２のシグナリングに基づいたブロードキャスト又はマルチキャストサービスを受信する。
【００６３】
一実施形態では、ＵＥは、ブロードキャスト又はマルチキャストサービスの識別情報を含む第１のシグナリングを受信することができる。ＵＥは、第２のシグナリングを受信するための構成を含む、ブロードキャスト又はマルチキャストのためのシステム情報を受信することもできる。第２のシグナリングを受信するための構成は、ＵＥが第２のシグナリングを受信するリソース割り当て（例えば、フレーム、サブフレーム、シンボル、及び／又はスロットのセット）を含むことができる。ブロードキャスト又はマルチキャストのためのシステム情報は、第２のシグナリングの受信のための第１のヌメロロジの識別情報又はインデックスを含むことができる。
【００６４】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスを受信するための構成と、ブロードキャスト又はマルチキャストサービスを受信するための第２のヌメロロジの識別情報又はインデックスと、を含む第２のシグナリングを受信し、（ｉｉ）第２のヌメロロジを使用して、第２のシグナリングに基づいたブロードキャスト又はマルチキャストサービスを受信する。さらに、ＣＰＵ３０８は、プログラムコード３１２を実行して、本明細書で説明した上述の動作及びステップ又は他のもののすべてを実行することができる。
【００６５】
図１８は、基地局の観点からの例示的な一実施形態によるフローチャート１８００である。ステップ１８０５では、基地局は、ブロードキャスト又はマルチキャストサービスの識別情報と、ブロードキャスト又はマルチキャストサービスの送信のための第２のヌメロロジを導出するために使用される指示と、を含む第３のシグナリングを受信する。ステップ１８１０では、基地局は、第２のヌメロロジを使用して、ブロードキャスト又はマルチキャストサービスを送信する。
【００６６】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの識別情報と、ブロードキャスト又はマルチキャストサービスの送信のための第２のヌメロロジを導出するために使用される指示と、を含む第３のシグナリングを受信し、（ｉｉ）第２のヌメロロジを使用して、ブロードキャスト又はマルチキャストサービスを送信する。さらに、ＣＰＵ３０８は、プログラムコード３１２を実行して、本明細書で説明した上述の動作及びステップ又は他のもののすべてを実行することができる。
【００６７】
図１９は、基地局の観点からの例示的な一実施形態によるフローチャート１９００である。ステップ１９０５では、基地局は、ブロードキャスト又はマルチキャストサービスの識別情報と、ブロードキャスト又はマルチキャストサービスの送信のための第２のヌメロロジを導出するために使用される指示と、を含む第１のシグナリングを送信する。ステップ１９１０では、基地局は、ブロードキャスト又はマルチキャストサービスを送信するための構成と、第２のヌメロロジに関連する指示と、を含む第２のシグナリングを送信する。ブロードキャスト又はマルチキャストサービスを送信するための構成は、基地局がブロードキャスト又はマルチキャストを送信するリソース割り当て（例えば、フレーム、シンボル、スロット、及び／又はサブフレームのセット）を含むことができる。ステップ１９１５では、基地局は、第２のヌメロロジを使用して、第２のシグナリングに基づいたブロードキャスト又はマルチキャストサービスを送信する。
【００６８】
一実施形態では、基地局は、第２のシグナリングを送信するための構成を含む、ブロードキャスト又はマルチキャストのためのシステム情報を送信することができる。第２のシグナリングを送信するための構成は、基地局が第２のシグナリングを送信するリソース割り当て（例えば、フレーム、サブフレーム、シンボル、及び／又はスロットのセット）を含むことができる。ブロードキャスト又はマルチキャストのためのシステム情報は、第２のシグナリングの送信のための第１のヌメロロジの識別情報又はインデックスを含むことができる。
【００６９】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの識別情報と、ブロードキャスト又はマルチキャストサービスの送信のための第２のヌメロロジを導出するために使用される指示と、を含む第１のシグナリングを送信し、（ｉｉ）ブロードキャスト又はマルチキャストサービスを送信するための構成と、第２のヌメロロジに関連する指示と、を含む第２のシグナリングを送信し、（ｉｉｉ）第２のヌメロロジを使用して、第２のシグナリングに基づいたブロードキャスト又はマルチキャストサービスを送信する。さらに、ＣＰＵ３０８は、プログラムコード３１２を実行して、本明細書で説明した上述の動作及びステップ又は他のもののすべてを実行することができる。
【００７０】
図２０は、ＵＥの観点からの例示的な一実施形態によるフローチャート２０００である。ステップ２００５では、ＵＥは、ブロードキャスト又はマルチキャストサービスの任意の識別情報と、ブロードキャスト又はマルチキャストサービスの受信のための第２のヌメロロジを導出するために使用される指示と、を含む第１のシグナリングを受信する。ステップ２０１０では、ＵＥは、ブロードキャスト又はマルチキャストサービスを受信するための構成と、第２のヌメロロジに関連する指示と、を含む第２のシグナリングを受信する。ブロードキャスト又はマルチキャストサービスを受信するための構成は、ＵＥがブロードキャスト又はマルチキャストサービスを受信するリソース割り当て（例えば、フレーム、サブフレーム、シンボル、及び／又はスロットのセット）を含むことができる。ステップ２０１５では、ＵＥは、第２のヌメロロジを使用して、第２のシグナリングに基づいたブロードキャスト又はマルチキャストサービスを受信する。
【００７１】
一実施形態では、ＵＥは、第２のシグナリングを受信するための構成を含む、ブロードキャスト又はマルチキャストのためのシステム情報を受信することができる。ブロードキャスト又はマルチキャストのためのシステム情報は、第２のシグナリングの受信のための第１のヌメロロジの識別情報又はインデックスを含むことができる。第２のシグナリングを受信するための構成は、ＵＥが第２のシグナリングを受信するリソース割り当て（例えば、フレーム、サブフレーム、シンボル、及び／又はスロットのセット）を含むことができる。
【００７２】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの任意の識別情報と、ブロードキャスト又はマルチキャストサービスの受信のための第２のヌメロロジを導出するために使用される指示と、を含む第１のシグナリングを受信し、（ｉｉ）ブロードキャスト又はマルチキャストサービスを受信するための構成と、第２のヌメロロジに関連する指示と、を含む第２のシグナリングを受信し、（ｉｉｉ）第２のヌメロロジを使用して、第２のシグナリングに基づいたブロードキャスト又はマルチキャストサービスを受信する。さらに、ＣＰＵ３０８は、プログラムコード３１２を実行して、本明細書で説明した上述の動作及びステップ又は他のもののすべてを実行することができる。
【００７３】
図２１は、基地局の観点からの例示的な一実施形態によるフローチャート２１００である。ステップ２１０５では、基地局は、ブロードキャスト又はマルチキャストサービスの送信のための第２のヌメロロジに関連する指示を含む、ブロードキャスト又はマルチキャストのためのシステム情報を送信する。ステップ２１１０では、基地局は、ブロードキャスト又はマルチキャストサービスを送信するための構成を含む第２のシグナリングを送信する。ステップ２１１５では、基地局は、第２のヌメロロジを使用して、第２のシグナリングに基づいたブロードキャスト又はマルチキャストサービスを送信する。
【００７４】
一実施形態では、基地局は、ブロードキャスト又はマルチキャストサービスの識別情報を含むことができる第１のシグナリングを送信することができる。第１のシグナリングは、ブロードキャスト又はマルチキャストサービスの送信のための第２のヌメロロジを導出するために使用される指示を含むこともできる。ブロードキャスト又はマルチキャストサービスを送信するための構成は、基地局がブロードキャスト又はマルチキャストサービスを送信するリソース割り当て（例えば、フレーム、サブフレーム、シンボル、及び／又はスロットのセット）を含むことができる。ブロードキャスト又はマルチキャストのためのシステム情報は、第２のシグナリングを送信するための構成を含むことができる。
【００７５】
第２のシグナリングを送信するための構成は、基地局が第２のシグナリングを送信するリソース割り当て（例えば、フレーム、サブフレーム、シンボル、及び／又はスロットのセット）を含むことができる。ブロードキャスト又はマルチキャストのためのシステム情報は、第２のシグナリングの送信のための第１のヌメロロジの識別情報又はインデックスを含むことができる。
【００７６】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの送信のための第２のヌメロロジに関連する指示を含む、ブロードキャスト又はマルチキャストのためのシステム情報を送信し、（ｉｉ）ブロードキャスト又はマルチキャストサービスを送信するための構成を含む第２のシグナリングを送信し、（ｉｉｉ）第２のヌメロロジを使用して、第２のシグナリングに基づいたブロードキャスト又はマルチキャストサービスを送信する。さらに、ＣＰＵ３０８は、プログラムコード３１２を実行して、本明細書で説明した上述の動作及びステップ又は他のもののすべてを実行することができる。
【００７７】
図２２は、ＵＥの観点からの例示的な一実施形態によるフローチャート２２００である。ステップ２２０５では、ＵＥは、ブロードキャスト又はマルチキャストサービスの受信のための第２のヌメロロジに関連する指示を含む、ブロードキャスト又はマルチキャストのためのシステム情報を受信する。ステップ２２１０では、ＵＥは、ブロードキャスト又はマルチキャストサービスを受信するための構成を含む第２のシグナリングを受信する。ステップ２２１５では、ＵＥは、第２のヌメロロジを使用して、第２のシグナリングに基づいたブロードキャスト又はマルチキャストサービスを受信する。
【００７８】
一実施形態では、ＵＥは、ブロードキャスト又はマルチキャストサービスの識別情報を含む第１のシグナリングを受信することができる。第１のシグナリングは、ブロードキャスト又はマルチキャストサービスの受信のための第２のヌメロロジを導出するために使用される指示を含むことができる。ブロードキャスト又はマルチキャストサービスを受信するための構成は、ＵＥがブロードキャスト又はマルチキャストサービスを受信するリソース割り当て（例えば、フレーム、サブフレーム、シンボル、及び／又はスロットのセット）を含むことができる。
【００７９】
ブロードキャスト又はマルチキャストのためのシステム情報は、第２のシグナリングを受信するための構成を含むことができる。第２のシグナリングを受信するための構成は、ＵＥが第２のシグナリングを受信するリソース割り当て（例えば、フレーム、サブフレーム、シンボル、及び／又はスロットのセット）を含むことができる。ブロードキャスト又はマルチキャストのためのシステム情報は、第２のシグナリングの受信のための第１のヌメロロジの識別情報又はインデックスを含むことができる。
【００８０】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの受信のための第２のヌメロロジに関連する指示を含む、ブロードキャスト又はマルチキャストのためのシステム情報を受信し、（ｉｉ）ブロードキャスト又はマルチキャストサービスを受信するための構成を含む第２のシグナリングを受信し、（ｉｉｉ）第２のヌメロロジを使用して、第２のシグナリングに基づいたブロードキャスト又はマルチキャストサービスを受信する。さらに、ＣＰＵ３０８は、プログラムコード３１２を実行して、本明細書で説明した上述の動作及びステップ又は他のもののすべてを実行することができる。
【００８１】
図２３は、基地局の観点からの例示的な一実施形態によるフローチャート２３００である。ステップ２３０５では、基地局は、第１のヌメロロジを使用して、ブロードキャスト又はマルチキャストサービスを送信するための構成を含む第２のシグナリングを送信する。ステップ２３１０では、基地局は、第２のシグナリングがブロードキャスト又はマルチキャストサービスの送信のための第２のヌメロロジの識別情報又はインデックスを含む場合、第２のヌメロロジを使用して、第２のシグナリングに基づいたブロードキャスト又はマルチキャストサービスを送信する。
【００８２】
一実施形態では、基地局は、第２のシグナリングがブロードキャスト又はマルチキャストサービスの送信のためのヌメロロジを１つも示さない場合、第１のヌメロロジを使用して、第２のシグナリングに基づいたブロードキャスト又はマルチキャストサービスを送信する。ブロードキャスト又はマルチキャストサービスを送信するための構成は、基地局がブロードキャスト又はマルチキャストサービスを送信するリソース割り当て（例えば、フレーム、サブフレーム、シンボル、及び／又はスロットのセット）を含むことができる。
【００８３】
一実施形態では、基地局は、第２のシグナリングを送信するための構成を含む、ブロードキャスト又はマルチキャストのためのシステム情報を送信することができる。ブロードキャスト又はマルチキャストのためのシステム情報は、第２のシグナリングの送信のための第１のヌメロロジの識別情報又はインデックスを含むことができる。第２のシグナリングを送信するための構成は、基地局が第２のシグナリングを送信するリソース割り当て（例えば、フレーム、サブフレーム、シンボル、及び／又はスロットのセット）を含むことができる。
【００８４】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）第１のヌメロロジを使用して、ブロードキャスト又はマルチキャストサービスを送信するための構成を含む第２のシグナリングを送信し、第２のシグナリングがブロードキャスト又はマルチキャストサービスの送信のための第２のヌメロロジの識別情報又はインデックスを含む場合、第２のヌメロロジを使用して、第２のシグナリングに基づいたブロードキャスト又はマルチキャストサービスを送信する。さらに、ＣＰＵ３０８は、プログラムコード３１２を実行して、本明細書で説明した上述の動作及びステップ又は他のもののすべてを実行することができる。
【００８５】
図２４は、ＵＥの観点からの例示的な一実施形態によるフローチャート２４００である。ステップ２４０５では、ＵＥは、第１のヌメロロジを使用して、ブロードキャスト又はマルチキャストサービスを受信するための構成を含む第２のシグナリングを受信する。ステップ２４１０では、ＵＥは、第２のシグナリングがブロードキャスト又はマルチキャストサービスの受信のための第２のヌメロロジの識別情報又はインデックスを含む場合、第２のヌメロロジを使用して、第２のシグナリングに基づいたブロードキャスト又はマルチキャストサービスを受信する。
【００８６】
一実施形態では、ＵＥは、第２のシグナリングがブロードキャスト又はマルチキャストサービスの受信のためのヌメロロジを１つも示さない場合、第１のヌメロロジを使用して、第２のシグナリングに基づいたブロードキャスト又はマルチキャストサービスを受信する。ブロードキャスト又はマルチキャストサービスを受信するための構成は、ＵＥがブロードキャスト又はマルチキャストサービスを受信するリソース割り当て（例えば、フレーム、サブフレーム、シンボル、及び／又はスロットのセット）を含むことができる。
【００８７】
一実施形態では、ＵＥは、第２のシグナリングを受信するための構成を含む、ブロードキャスト又はマルチキャストのためのシステム情報を受信することができる。ブロードキャスト又はマルチキャストのためのシステム情報は、第２のシグナリングの受信のための第１のヌメロロジの識別情報／インデックスを含むことができる。第２のシグナリングを受信するための構成は、ＵＥが第２のシグナリングを受信するリソース割り当て（例えば、フレーム、サブフレーム、シンボル、及び／又はスロットのセット）を含むことができる。
【００８８】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、基地局が、（ｉ）第１のヌメロロジを使用して、ブロードキャスト又はマルチキャストサービスを受信するための構成を含む第２のシグナリングを受信し、（ｉｉ）第２のシグナリングがブロードキャスト又はマルチキャストサービスの受信のための第２のヌメロロジの識別情報又はインデックスを含む場合、第２のヌメロロジを使用して、第２のシグナリングに基づいたブロードキャスト又はマルチキャストサービスを受信する。さらに、ＣＰＵ３０８は、プログラムコード３１２を実行して、本明細書で説明した上述の動作及びステップ又は他のもののすべてを実行することができる。
【００８９】
図２５は、ＵＥの観点からの例示的な一実施形態によるフローチャート２５００である。ステップ２５０５では、ＵＥは、ブロードキャスト又はマルチキャストサービスの識別情報を含む第１のシグナリングを受信する。第１のシグナリングは、ユーザサービス記述とすることができる。
【００９０】
ステップ２５１０では、ＵＥは、ブロードキャスト又はマルチキャストサービスの情報と、あるヌメロロジとの間の関連を示す第２のシグナリングを受信する。第１のシグナリングは、その情報を含むことができる。その情報は、ブロードキャスト又はマルチキャストサービスに関連するＱｏＳの識別情報、ブロードキャスト又はマルチキャストサービスに関連するグループ識別情報、ブロードキャスト又はマルチキャストサービスに関連するＭＢＭＳサービスエリア、ブロードキャスト又はマルチキャストサービスに関連する帯域幅部分、ブロードキャスト又はマルチキャストサービスの識別情報、ブロードキャスト又はマルチキャストサービスに関連するＭＣＨ、あるいはブロードキャスト又はマルチキャストサービスに関連するＭＢＳＦＮエリアを含むことができる。
【００９１】
一実施形態では、第２のシグナリングは、ブロードキャスト又はマルチキャストのためのシステム情報とすることができる。第２のシグナリングは、マルチキャスト制御チャネル（Multicast  Control  Channel）を介して受信することができる。
【００９２】
ステップ２５１５では、ＵＥは、そのヌメロロジを使用して、ブロードキャスト又はマルチキャストサービスを受信する。
【００９３】
図３及び図４に戻って参照すると、ＵＥの例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの識別情報を含む第１のシグナリングを受信し、（ｉｉ）ブロードキャスト又はマルチキャストサービスの情報と、あるヌメロロジとの間の関連を示す第２のシグナリングを受信し、（ｉｉｉ）ヌメロロジを使用して、ブロードキャスト又はマルチキャストサービスを受信する。さらに、ＣＰＵ３０８は、プログラムコード３１２を実行して、本明細書で説明した上述の動作及びステップ又は他のもののすべてを実行することができる。
【００９４】
図２６は、基地局の観点からの例示的な一実施形態によるフローチャート２６００である。ステップ２６０５では、基地局は、ブロードキャスト又はマルチキャストサービスの識別情報を含む第１のシグナリングを送信する。第１のシグナリングは、ユーザサービス記述とすることができる。
【００９５】
ステップ２６１０では、基地局は、ブロードキャスト又はマルチキャストサービスの情報と、あるヌメロロジとの間の関連を示す第２のシグナリングを送信する。第１のシグナリングは、その情報を含むことができる。その情報はブロードキャスト又はマルチキャストサービスに関連するＱｏＳの識別情報、ブロードキャスト又はマルチキャストサービスに関連するグループ識別情報、ブロードキャスト又はマルチキャストサービスに関連するＭＢＭＳサービスエリア、ブロードキャスト又はマルチキャストサービスに関連する帯域幅部分、ブロードキャスト又はマルチキャストサービスの識別情報、ブロードキャスト又はマルチキャストサービスに関連するＭＣＨ、あるいはブロードキャスト又はマルチキャストサービスに関連するＭＢＳＦＮエリアを含むことができる。
【００９６】
一実施形態では、第２のシグナリングは、ブロードキャスト又はマルチキャストのためのシステム情報とすることができる。第２のシグナリングは、マルチキャスト制御チャネルを介して受信することができる。
【００９７】
ステップ２６１５では、基地局は、そのヌメロロジを使用して、ブロードキャスト又はマルチキャストサービスを送信する。
【００９８】
図３及び図４に戻って参照すると、基地局の例示的な一実施形態では、デバイス３００は、メモリ３１０に記憶されたプログラムコード３１２を含む。ＣＰＵ３０８は、プログラムコード３１２を実行して、（ｉ）ブロードキャスト又はマルチキャストサービスの識別情報を含む第１のシグナリングを送信し、（ｉｉ）ブロードキャスト又はマルチキャストサービスの情報と、あるヌメロロジとの間の関連を示す第２のシグナリングを送信し、（ｉｉｉ）ヌメロロジを使用して、ブロードキャスト又はマルチキャストサービスを送信する。さらに、ＣＰＵ３０８は、プログラムコード３１２を実行して、本明細書で説明した上述の動作及びステップ又は他のもののすべてを実行することができる。
【００９９】
上記に論じ、図１３〜図２６に示した実施形態の文脈においては、一実施形態では、ブロードキャスト又はマルチキャストのためのシステム情報は、ブロードキャストチャネル又は専用チャネルで受信することができる。第１のシグナリングは、ユーザサービス記述とすることができる。第２のシグナリングは、ＮＲ−ＭＣＣＨ上で受信することができる。第３のシグナリングは、コアネットワーク内のネットワークノード（例えば、ＬＴＥのＭＣＥ）から受信することができる。
【０１００】
一実施形態では、ブロードキャスト又はマルチキャストサービスは、ＮＲ−ＭＴＣＨ上で受信することができる。その指示は、ブロードキャスト又はマルチキャストサービス（例えば、ＴＭＧＩ）の識別情報、又はブロードキャスト又はマルチキャストサービス（例えば、ＬＣＩＤ）を受信するために使用されるチャネルの識別情報と関連付けられ得る。チャネルは、ＮＲ−ＭＴＣＨとすることができる。
【０１０１】
その指示は、ブロードキャスト又はマルチキャストサービスを受信するためのＮＲ−ＭＣＨ構成に関連付けられ得る。ＮＲ−ＭＣＨ構成は、ブロードキャスト又はマルチキャストサービスの識別情報（例えば、ＴＭＧＩ）及び／又はブロードキャスト又はマルチキャストサービスを受信するために使用されるチャネルの識別情報（例えば、ＬＣＩＤ）を含むことができる。さらに、その指示は、ブロードキャスト又はマルチキャストサービスを受信するために使用されるリソース割り当て（例えば、特定のフレーム、サブフレーム、シンボル、及び／又はスロットのセット）に関連付けられることができる。
【０１０２】
その指示は、関連するヌメロロジのインデックス又は識別情報、ブロードキャスト又はマルチキャストサービスに関連するＱｏＳのインデックス又は識別情報、あるいはブロードキャスト又はマルチキャストサービスに関連するＱｏＳグループ又はＱｏＳクラスのインデックス又は識別情報とすることができる。
【０１０３】
その指示は、ブロードキャスト又はマルチキャストエリア（例えば、ＭＢＳＦＮエリアＩＤ）の識別情報、ブロードキャスト又はマルチキャストサービスエリアの識別情報（例えば、ＭＢＳＦＮサービスエリアＩＤ）、あるいはブロードキャスト又はマルチキャストに関連するグループの識別情報とすることもできる。
【０１０４】
本発明に基づくと、ｇＮＢ及びＵＥは、同じヌメロロジを使用して、ブロードキャスト又はマルチキャストサービスを送信又は受信することができる。
【０１０５】
以上、本開示の種々の態様を説明した。当然のことながら、本明細書の教示内容を多種多様な形態で具現化してよく、本明細書に開示されている如何なる特定の構造、機能、又は両者も代表的なものに過ぎない。本明細書の教示内容に基づいて、当業者には当然のことながら、本明細書に開示される態様は、他の如何なる態様からも独立に実装されてよく、これら態様のうちの２つ以上が種々組み合わされてよい。例えば、本明細書に記載された態様のうちの任意の数の態様を用いて、装置が実装されてよく、方法が実現されてよい。追加的に、本明細書に記載された態様のうちの１つ以上の追加又は代替で、他の構造、機能、又は構造と機能を用いて、このような装置が実装されるようになっていてもよいし、このような方法が実現されるようになっていてもよい。上記概念の一部の一例として、いくつかの態様においては、パルス繰り返し周波数に基づいて、同時チャネルが確立されてよい。いくつかの態様においては、パルス位置又はオフセットに基づいて、同時チャネルが確立されてよい。いくつかの態様においては、時間ホッピングシーケンスに基づいて、同時チャネルが確立されてよい。いくつかの態様では、パルス繰り返し周波数、パルス位置又はオフセット、及び時間ホッピングシーケンスに基づいて、同時チャネルが確立されてよい。
【０１０６】
当業者であれば、多様な異なる技法及び技術のいずれかを使用して、情報及び信号を表わしてよいを理解するであろう。例えば、上記説明全体で言及されることがあるデータ、命令、コマンド、情報、信号、ビット、シンボル、及びチップは、電圧、電流、電磁波、磁場若しくは粒子、光場若しくは粒子、又はこれらの任意の組合せによって表わしてよい。
【０１０７】
さらに、当業者には当然のことながら、本明細書に開示された態様に関連して説明した種々の例示的な論理ブロック、モジュール、プロセッサ、手段、回路、及びアルゴリズムステップは、電子的ハードウェア（例えば、ソースコーディング又はその他何らかの技術を用いて設計することがあるデジタル実装、アナログ実装、又はこれら２つの組合せ）、命令を含む種々の形態のプログラム若しくは設計コード（本明細書においては便宜上、「ソフトウェア」又は「ソフトウェアモジュール」と称されることがある）、又は両者の組合せとして実装されてよい。このハードウェア及びソフトウェアの互換性を明確に示すため、種々の例示的な構成要素、ブロック、モジュール、回路、及びステップを、概略的にそれぞれの機能の観点から上述した。そのような機能がハードウェアとして実装されるか、ソフトウェアとして実装されるかは、特定用途及びシステム全体に課される設計上の制約によって決まる。当業者であれば、特定各用途に対して、説明した機能を様々なやり方で実装してもよいが、そのような実装の決定は、本開示の範囲からの逸脱の原因として解釈されるべきではない。
【０１０８】
追加的に、本明細書に開示される態様に関連して説明した種々の例示的な論理ブロック、モジュール、及び回路は、集積回路（「ＩＣ」）、アクセス端末、又はアクセスポイント内で実装される、あるいはこれらによって実行されてよい。ＩＣとしては、汎用プロセッサ、デジタルシグナルプロセッサ（ＤＳＰ）、特定用途向け集積回路（ＡＳＩＣ）、フィールドプログラマブルゲートアレイ（ＦＰＧＡ）、その他プログラマブル論理デバイス、ディスクリートゲート若しくはトランジスタロジック、ディスクリートハードウェアコンポーネント、電気部品、光学部品、機械部品、又は本明細書で説明した機能を実行するように設計されたこれらの任意の組合せを含み、ＩＣ内、ＩＣ外、又はその両方に存在するコード又は命令を実行してよい。汎用プロセッサは、マイクロプロセッサとしてよいが、代替として、プロセッサは、従来の任意のプロセッサ、コントローラ、マイクロコントローラ、又は状態機械としてよい。また、プロセッサは、ＤＳＰとマイクロプロセッサとの組合せ、複数のマイクロプロセッサ、ＤＳＰコアと協働する１つ以上のマイクロプロセッサ、又はその他任意のこのような構成である、コンピュータデバイスの組合せとして実装されてよい。
【０１０９】
任意の開示プロセスにおけるステップの如何なる特定の順序又は階層は、実例的な手法の一例であることが了解される。設計の選好に基づいて、プロセスにおけるステップの特定の順序又は階層を、本開示の範囲内に留まりつつ、再構成してよいことが了解される。添付の方法の請求項は、種々のステップの要素を実例的な順序で示しており、提示の特定順序又は階層に限定されることを意図していない。
【０１１０】
本明細書に開示される態様に関連して記載された方法又はアルゴリズムのステップを、ハードウェアにおいて直接具現化してよく、プロセッサにより実行されるソフトウェアモジュールにおいて具現化してよく、これら２つの組合せにおいて具現化してよい。（例えば、実行可能な命令及び関連するデータを含む）ソフトウェアモジュール及び他のデータは、ＲＡＭメモリ、フラッシュメモリ、ＲＯＭメモリ、ＥＰＲＯＭメモリ、ＥＥＰＲＯＭメモリ、レジスタ、ハードディスク、リムバーブルディスク、ＣＤ−ＲＯＭ等のデータメモリ、又は当技術分野において知られているその他任意の形態のコンピュータ可読記憶媒体に存在してよい。実例的な記憶媒体がコンピュータ／プロセッサ（本明細書においては便宜上、「プロセッサ」と称されることがある）等の機械に結合されてよい、このようなプロセッサは、記憶媒体からの情報（例えば、コード）の読み出し及び記憶媒体への情報の書き込みが可能である。実例的な記憶媒体は、プロセッサと一体化されてよい。プロセッサ及び記憶媒体は、ＡＳＩＣに存在してよい。ＡＳＩＣは、ユーザ機器に存在していてもよい。代替として、プロセッサ及び記憶媒体は、ディスクリートコンポーネントとしてユーザ機器に存在してよい。さらに、いくつかの態様においては、任意の適当なコンピュータプログラム製品が、本開示の態様のうちの１つ以上に関連するコードを含むコンピュータ可読媒体を含んでもよい。いくつかの態様では、コンピュータプログラム製品は、パッケージング材料を含んでよい。
【０１１１】
以上、種々の態様に関連して本発明を説明したが、本発明は、さらに改良可能であることが了解される。本願は、概して本発明の原理に従うと共に、本発明が関係する技術分野における既知で慣習的な実施となるような本開示からの逸脱を含む本発明の任意の変形、使用、又は適応を網羅することを意図している。
【図１】
2020048232.tif 000016
【図２】
2020048232.tif 000017
【図３】
2020048232.tif 000018
【図４】
2020048232.tif 000019
【図５】
2020048232.tif 000020
【図６】
2020048232.tif 000021
【図７】
2020048232.tif 000022
【図８】
2020048232.tif 000023
【図９】
2020048232.tif 000024
【図１０】
2020048232.tif 000025
【図１１】
2020048232.tif 000026
【図１２】
2020048232.tif 000027
【図１３】
2020048232.tif 000028
【図１４】
2020048232.tif 000029
【図１５】
2020048232.tif 000030
【図１６】
2020048232.tif 000031
【図１７】
2020048232.tif 000032
【図１８】
2020048232.tif 000033
【図１９】
2020048232.tif 000034
【図２０】
2020048232.tif 000035
【図２１】
2020048232.tif 000036
【図２２】
2020048232.tif 000037
【図２３】
2020048232.tif 000038
【図２４】
2020048232.tif 000039
【図２５】
2020048232.tif 000040
【図２６】
2020048232.tif 000041